【手続補正書】
【提出日】平成26年8月6日(2014.8.6)
【手続補正１】
【補正対象書類名】特許請求の範囲
【補正対象項目名】全文
【補正方法】変更
【補正の内容】
【特許請求の範囲】
【請求項１】
ベイヤー配列の原色カラーフィルタを備えた撮像素子により得られた画像の、赤色又は青色の着目画素における信号値を、前記着目画素の周辺の画素の信号値を用いて生成する画像処理装置であって、
前記着目画素と同色の、前記着目画素の周辺の複数の画素の信号値から、前記着目画素の信号値と相関の高い画素が存在する方向が、第１方向または第２方向であるか、あるいは第３方向または第４方向であるかを判別する第１の方向判別手段と、
前記着目画素と異なる色の、前記着目画素の周辺の複数の画素の信号値から、前記着目画素の信号値と相関の高い画素が存在する方向として、前記第１方向および前記第２方向のいずれか１つと、前記第３方向および前記第４方向のいずれか１つを判別する第２の方向判別手段と、
前記第１の方向判別手段によって前記着目画素の信号値と相関の高い画素が存在する方向が前記第１方向または前記第２方向と判別されていれば、前記第２の方向判別手段が判別した前記第１方向および前記第２方向のいずれか１つを選択し、前記第１の方向判別手段によって前記着目画素の信号値と相関の高い画素が存在する方向が前記第３方向または前記第４方向と判別されていれば、前記第２の方向判別手段が判別した前記第３方向および前記第４方向のいずれか１つを選択する選択手段と、
前記着目画素の周辺の画素のうち、前記着目画素から前記選択手段によって選択された方向に存在する複数の画素の信号値を用いて前記着目画素における信号値を算出する算出手段と、を有することを特徴とする画像処理装置。
【請求項２】
前記第２の方向判別手段が、前記着目画素の周辺の複数の緑色画素の信号値によって前記判別を行うことを特徴とする請求項１記載の画像処理装置。
【請求項３】
前記第１の方向判別手段が、
前記第１方向、前記第２方向、前記第３方向、および前記第４方向のそれぞれについて、前記着目画素を挟んで位置する前記着目画素と同色の２つの画素の信号値の差分を求め、
前記第１方向及び前記第２方向についての前記差分の和が、前記第３方向および前記第４方向のそれぞれについての前記差分の和より小さい場合に、前記着目画素の信号値と相関の高い画素が存在する方向が、前記第１方向または前記第２方向であると判別し、
前記第１方向及び前記第２方向についての前記差分の和が、前記第３方向または前記第４方向のそれぞれについての前記差分の和以上の場合に、前記着目画素の信号値と相関の高い画素が存在する方向が、前記第３方向または前記第４方向であると判別する、
ことを特徴とする請求項１又は請求項２に記載の画像処理装置。
【請求項４】
前記第２の方向判別手段が、前記第１方向または前記第２方向の１つを判別する方向判別手段と、前記第３方向または前記第４方向の１つを判別する方向判別手段とを有し、
前記第１方向または前記第２方向の１つを判別する方向判別手段が、
前記着目画素と異なる色の、前記着目画素の周辺の複数の画素のそれぞれについて、前記第１方向に位置する２つの前記着目画素と異なる色の画素の信号値の差分の平均値と、前記第１方向に位置する２つの前記着目画素と異なる色の画素の信号値の差分の平均値とのうち、小さい値に対応する方向を判別し、
前記第３方向または前記第４方向の１つを判別する方向判別手段が、
前記着目画素と異なる色の、前記着目画素の周辺の複数の画素のそれぞれについて、前記第３方向または前記第４方向に位置する、２つの前記着目画素と異なる色の画素の信号値の差分の方向別の平均値のうち、最小の値に対応する方向を判別する、
ことを特徴とする請求項１乃至請求項３のいずれか１項に記載の画像処理装置。
【請求項５】
前記第１方向が縦方向、前記第２方向が横方向、前記第３方向が４５度方向、および、前記第４方向が１３５度方向であることを特徴とする請求項１乃至請求項４のいずれか１項に記載の画像処理装置。
【請求項６】
ベイヤー配列の原色カラーフィルタを備えた撮像素子と、
請求項１乃至請求項５のいずれか１項に記載の画像処理装置とを有し、
前記撮像素子により得られた画像のうち、前記撮像素子の赤色または青色の欠陥画素の信号値を、前記画像処理装置によって取得することを特徴とする撮像装置。
【請求項７】
ベイヤー配列の原色カラーフィルタを備えた撮像素子により得られた画像の、赤色又は青色の着目画素における信号値を、前記着目画素の周辺の画素の信号値を用いて生成する画像処理装置の制御方法であって、
第１の方向判別手段が、前記着目画素と同色の、前記着目画素の周辺の複数の画素の信号値から、前記着目画素の信号値と相関の高い画素が存在する方向が、第１方向または第２方向であるか、第３方向または第４方向であるかを判別する第１の方向判別工程と、
第２の方向判別手段が、前記着目画素と異なる色の、前記着目画素の周辺の複数の画素の信号値から、前記着目画素の信号値と相関の高い画素が存在する方向として、前記第１方向および前記第２方向のいずれか１つと、前記第３方向および前記第４方向のいずれか１つを判別する第２の方向判別工程と、
選択手段が、前記第１の方向判別工程によって前記着目画素の信号値と相関の高い画素が存在する方向が前記第１方向または前記第２方向と判別されていれば、前記第２の方向判別工程によって判別された前記第１方向および前記第２方向のいずれか１つを選択し、前記第１の方向判別工程によって前記着目画素の信号値と相関の高い画素が存在する方向が前記第３方向または前記第４方向と判別されていれば、前記第２の方向判別工程で判別された前記第３方向および前記第４方向のいずれか１つを選択する選択工程と、
算出手段が、前記着目画素の周辺の画素のうち、前記着目画素から前記選択工程によって選択された方向に存在する複数の画素の信号値を用いて前記着目画素における信号値を算出する算出工程と、を有することを特徴とする画像処理装置の制御方法。
【請求項８】
コンピュータを、請求項１乃至請求項５のいずれか１項に記載の画像処理装置の各手段として機能させるためのプログラム。
【手続補正２】
【補正対象書類名】明細書
【補正対象項目名】０００９
【補正方法】変更
【補正の内容】
【０００９】
上述の目的は、ベイヤー配列の原色カラーフィルタを備えた撮像素子により得られた画像の、赤色又は青色の着目画素における信号値を、着目画素の周辺の画素の信号値を用いて生成する画像処理装置であって、着目画素と同色の、着目画素の周辺の複数の画素の信号値から、着目画素の信号値と相関の高い画素が存在する方向が、第１方向または第２方向であるか、あるいは第３方向または第４方向であるかを判別する第１の方向判別手段と、着目画素と異なる色の、着目画素の周辺の複数の画素の信号値から、着目画素の信号値と相関の高い画素が存在する方向として、第１方向および第２方向のいずれか１つと、第３方向および第４方向のいずれか１つを判別する第２の方向判別手段と、第１の方向判別手段によって着目画素の信号値と相関の高い画素が存在する方向が第１方向または第２方向と判別されていれば、第２の方向判別手段が判別した第１方向および第２方向のいずれか１つを選択し、第１の方向判別手段によって着目画素の信号値と相関の高い画素が存在する方向が第３方向または第４方向と判別されていれば、第２の方向判別手段が判別した第３方向および第４方向のいずれか１つを選択する選択手段と、着目画素の周辺の画素のうち、着目画素から選択手段によって選択された方向に存在する複数の画素の信号値を用いて着目画素における信号値を算出する算出手段と、を有することを特徴とする画像処理装置によって達成される。